(57)【要約】【課題】電動式シャッタのリミット装置に於いて、リミット装置等機構部が露出していない状態でも、シャッタカーテンの動作限界位置の設定を行い得る様にする。【解決手段】シャッタカーテンの動作限界位置を設定するリミットスイッチ２６を具備し、該リミットスイッチが前記シャッタカーテンの動作限界位置を設定する設定レバー２９を有し、該設定レバーに線状部材３０を係着可能とし、該線状部材を介して前記設定レバーを操作可能とした。【選択図】        図１
2005030031.tif 000002
【特許請求の範囲】
【請求項１】
シャッタカーテンの動作限界位置を設定するリミットスイッチを具備し、該リミットスイッチが前記シャッタカーテンの動作限界位置を設定する設定レバーを有し、該設定レバーに線状部材を係着可能とし、該線状部材を介して前記設定レバーを操作可能としたことを特徴とする電動式シャッタのリミット装置。
【発明の詳細な説明】
【０００１】
【発明の属する技術分野】
本発明は、構築・構造物の出入口等の開口部を開閉する電動式シャッタ、特に電動式シャッタのリミット装置に関するものである。
【０００２】
【従来の技術】
構築・構造物の開口部を開閉する為に設けられる電動式シャッタでは、シャッタカーテンの上限位置、下限位置等動作限界位置でシャッタカーテンの昇降を停止させる為、開閉機のモータへの通電を遮断する為のリミットスイッチが設けられている。
【０００３】
従来の電動式シャッタ、該電動式シャッタに設けられたリミット装置としては、例えば特許文献１に示すものがある。
【０００４】
図５に於いて、開口部の上方に、巻取支持シャフト１が取付けられ、該巻取支持シャフト１には複数のホイール２が回転自在に設けられ、該ホイール２は補助バー５により連結され、一体に回転する様になっている。前記ホイール２にシャッタカーテン６の上端が固着され、前記ホイール２は捩りコイルバネ７により前記シャッタカーテン６の巻取り方向に付勢されている。前記ホイール２はモータ等の開閉装置８によって回転される様になっている。
【０００５】
該開閉装置８が、前記シャッタカーテン６を必要以上に巻取らない様に、又該シャッタカーテン６が開口部を全閉した後にも、該シャッタカーテン６を降下させない様、前記開閉装置８は図６に示されるリミット装置１１を具備している。
【０００６】
該リミット装置１１は、前記ホイール２と連動して回転するスクリューシャフト１２、該スクリューシャフト１２に螺合し、前記ホイール２によって回転される前記スクリューシャフト１２により水平方向に移動するスライダ１３、該スライダ１３の位置を検出する下限用スイッチ１４、上限用スイッチ１５、前記スライダ１３と共に移動して前記シャッタカーテン６の上限位置を示すスライダゲージ１６とを具備し、前記スライダ１３が前記下限用スイッチ１４を作動させることで該下限用スイッチ１４が前記開閉装置８の閉方向への通電を遮断し、前記スライダ１３が前記上限用スイッチ１５を作動させることで、前記上限用スイッチ１５が前記開閉装置８の開方向への通電を遮断し、それぞれ前記シャッタカーテン６を停止させていた。
【０００７】
前記リミット装置１１に於ける上限、下限の設定を行う場合、前記シャッタカーテン６が全閉の状態で前記リミット装置１１は露出するので、前記下限用スイッチ１４を直接操作し下限位置を設定する。次に前記シャッタカーテン６を一端全開状態とし、更に全閉状態として前記リミット装置１１を露出させる。前記スライダゲージ１６は前記シャッタカーテン６の全閉の位置を示しているので、前記スライダゲージ１６の位置を参考にして前記上限用スイッチ１５の上限位置を設定していた。
【０００８】
【特許文献１】
実公平５−３７３７８号公報
【０００９】
【発明が解決しようとする課題】
上記した、従来の電動式シャッタのリミット装置１１に於ける上限、下限の設定では、前記リミット装置１１を露出させる必要があるので、上限位置の設定ではシャッタカーテン６を全開とした後、再びシャッタカーテン６を全閉状態としなければならない等作業性が悪かった。又、電動式シャッタによっては、構造上全閉状態でも開閉装置８等の機構部が露出しないものもあり、上記したリミット装置１１が全ての電動式シャッタに実施できるというものでもなかった。
【００１０】
本発明は斯かる実情に鑑み、開閉装置、リミット装置等機構部が露出していない状態でも、シャッタカーテンの上限、下限等の動作限界位置の設定を行い得る様にするものである。
【００１１】
【課題を解決するための手段】
本発明は、シャッタカーテンの動作限界位置を設定するリミットスイッチを具備し、該リミットスイッチが前記シャッタカーテンの動作限界位置を設定する設定レバーを有し、該設定レバーに線状部材を係着可能とし、該線状部材を介して前記設定レバーを操作可能とした電動式シャッタのリミット装置に係るものである。
【００１２】
【発明の実施の形態】
以下、図面を参照しつつ本発明の実施の形態を説明する。
【００１３】
図１〜図３は本発明の実施の形態の要部である開閉装置及び開閉装置関連部分の機構を示しており、図中シャッタカーテンは省略してあり、図５中で示したものと同等のものには同符号を付してある。
【００１４】
開口部（図示せず）の上方の躯体１８にシャッタケース１９のブラケット２１が取付けられ、該ブラケット２１に巻取支持シャフト１の端部が支持されている。該巻取支持シャフト１に複数のホイール支持盤２２が固着され、該ホイール支持盤２２にリング状のホイール２がそれぞれ回転自在に設けられ、該ホイール２は補助バー５により連結されている。前記ホイール支持盤２２は図示していないが適宜開口部が形成されている。
【００１５】
前記巻取支持シャフト１にベースブロック２３が固着され、該ベースブロック２３にはインナギア２５が回転自在に設けられ、該インナギア２５は前記補助バー５に係合し、該補助バー５と前記インナギア２５は一体に回転可能となっている。
【００１６】
前記ベースブロック２３に開閉モータ２４が前記巻取支持シャフト１と平行に設けられ、前記ベースブロック２３にリミットスイッチ２６が設けられている。尚、特に図示していないが、該リミットスイッチ２６は上限用リミットスイッチと下限用リミットスイッチが設けられており、前記シャッタカーテン６の上限位置の設定は前記上限用リミットスイッチにより設定し、前記シャッタカーテン６の下限位置の設定は前記下限用リミットスイッチにより設定する様になっている。
【００１７】
前記開閉モータ２４の出力軸にピニオンギア（図示せず）が嵌着され、前記リミットスイッチ２６の入力軸には回転検出ギア２７が嵌着され、前記ピニオンギア、前記回転検出ギア２７はそれぞれ前記インナギア２５に噛合している。
【００１８】
尚、図中、２８は前記巻取支持シャフト１に取付けられた開閉制御部である。
【００１９】
前記リミットスイッチ２６について図４により説明する。
【００２０】
該リミットスイッチ２６はボルト等により前記ベースブロック２３に取付け可能となっており、前記回転検出ギア２７の回転数を積算して、積算値が所定の回転数に達した場合にマイクロスイッチ（図示せず）を作動するものであり、積算値は設定レバー２９をスライドさせることで、リセット即ちマイクロスイッチが作動する値に設定できる様になっている。
【００２１】
前記リミットスイッチ２６のケース３１の所要位置にはガイド部材３２が突設され、該ガイド部材３２にはワイヤ、紐等の屈撓自在な線状部材３０が挿通されるガイド孔３３が穿設され、前記設定レバー２９には前記線状部材３０が挿通される係着孔３４が穿設されている。該係着孔３４と前記ガイド孔３３との位置関係は、前記係着孔３４と前記ガイド孔３３とを結ぶ線が、前記設定レバー２９の操作方向、或は操作方向に近似する方向となっている。
【００２２】
前記線状部材３０は前記係着孔３４に挿通されて前記設定レバー２９に係着され、又前記ガイド孔３３を挿通されて前記ホイール支持盤２２の開口部（図示せず）を挿通して垂下し、先端にはリング等の連結補助具３５が係着されている。
【００２３】
前記連結補助具３５を引くと前記線状部材３０が引張られ、該線状部材３０は前記ガイド部材３２を挿通して前記設定レバー２９に係着されているので、前記線状部材３０は前記設定レバー２９にスライド方向の力を作用させる。
【００２４】
以下、シャッタカーテン６の動作限界位置、例えば上限位置の設定について説明する。
【００２５】
前記シャッタケース１９のカバーを取外し、内部を露出させる。
【００２６】
前記シャッタカーテン６を降下させ、開閉装置８を露出させる。前記線状部材３０の前記連結補助具３５に線状部材である補助紐（図示せず）を係着し、該補助紐の下端は該補助紐を作業者が地面に立った状態で操作できる位置迄垂下させる。
【００２７】
前記開閉装置８により前記シャッタカーテン６を巻取り、該シャッタカーテン６の下端が所定位置に達した時（全開状態となった時）に前記補助紐を引張る。該補助紐を引張ることで、前記線状部材３０を介して前記設定レバー２９がスライドされ、前記リミットスイッチ２６がリセットされる。リセットされることで、リセットの位置で該リミットスイッチ２６が作動し、前記開閉装置８への通電を遮断する様になり、前記シャッタカーテン６の上限位置の設定が完了する。
【００２８】
該シャッタカーテン６の下限位置の設定については、該シャッタカーテン６が下限位置に達した状態で、下限用のリミットスイッチをリセットとすればよい。尚、下限用リミットスイッチを設定する場合、該下限用リミットスイッチが露出する場合は、前記線状部材３０等は必ずしも設ける必要はなく、作業者が直接リミットスイッチの設定レバー２９をスライドさせ、リミットスイッチをリセットしてもよい。尚、上限用リミットスイッチと同様、下限用リミットスイッチに対しても前記線状部材３０、保持紐を設ければ、作業者が梯子等を用いて、前記シャッタケース１９迄上って操作する必要がなくなる。
【００２９】
又、シャッタカーテン６を全閉状態としても、開閉装置８等が露出しない構造の場合は、上限用リミットスイッチ、下限用リミットスイッチに対しそれぞれの設定レバー２９に線状部材３０を係着し、該線状部材３０を介して上限用リミットスイッチ、下限用リミットスイッチをリセットできる様にする。
【００３０】
前記リミットスイッチ２６が上限位置設定、下限位置設定の両方の機能を備えている場合は、上限位置用設定レバー２９、下限位置用設定レバー２９に前記線状部材３０をそれぞれ係着し、前記上限位置用設定レバー２９、前記下限位置用設定レバー２９を前記シャッタカーテン６の位置に対応させて操作する。
【００３１】
尚、前記リミットスイッチ２６が作業し易い位置に設けられている場合は、前記線状部材３０は必ずしも係着しておく必要はなく、前記シャッタカーテン６の上限、下限位置設定の保守作業時に前記ガイド部材３２に前記線状部材３０、補助紐を兼ねる線状部材を挿通し、該線状部材を前記設定レバー２９に係着し、前記線状部材により前記設定レバー２９を操作できる様にしてもよい。
【００３２】
上述した様に、前記リミットスイッチ２６が露出している、露出していないに拘らず、該リミットスイッチ２６の設定作業が可能となり、作業性が向上する。又、線状部材を介して前記リミットスイッチ２６から離れた位置で、設定作業を行えるので、前記シャッタカーテン６の上限位置、下限位置を確認しつつ設定作業が行え、精度の高い位置設定が可能となる。
【００３３】
【発明の効果】
以上述べた如く本発明によれば、シャッタカーテンの動作限界位置を設定するリミットスイッチを具備し、該リミットスイッチが前記シャッタカーテンの動作限界位置を設定する設定レバーを有し、該設定レバーに線状部材を係着可能とし、該線状部材を介して前記設定レバーを操作可能としたので、前記リミットスイッチが露出していない構造でも、該リミットスイッチの設定作業が簡単に行え、作業性が向上する。又、線状部材を介して前記リミットスイッチを遠隔操作できるので、前記シャッタカーテンの位置を確認しつつ設定作業が行え、精度の高い位置設定が可能となる等の優れた効果を発揮する。
【図面の簡単な説明】
【図１】本発明の実施の形態を示す要部正面図である。
【図２】同前本発明の実施の形態を示す要部側面図である。
【図３】同前本発明の実施の形態を示す要部底面図である。
【図４】本発明の実施の形態に使用されるリミットスイッチの斜視図である。
【図５】従来例を示す斜視図である。
【図６】従来例のリミット装置を示す正面図である。
【符号の説明】
１          巻取支持シャフト
２          ホイール
８          開閉装置
２３        ベースブロック
２４        開閉モータ
２５        インナギア
２６        リミットスイッチ
２７        回転検出ギア
２８        開閉制御部
２９        設定レバー
３０        線状部材
３２        ガイド部材
３３        ガイド孔
３４        係着孔
【図１】
2005030031.tif 000003
【図２】
2005030031.tif 000004
【図３】
2005030031.tif 000005
【図４】
2005030031.tif 000006
【図５】
2005030031.tif 000007
【図６】
2005030031.tif 000008